(57)【特許請求の範囲】
【請求項１】
携帯電話機からネットワークを介して送信された信号に応じて、設置されている表示装置に画像を表示するためのシステムであって、
前記携帯電話機が送信した信号を、前記ネットワークを介して受信する受信手段と、
前記受信手段が受信した信号による指示に従って、前記表示装置に表示すべき画像を表示させる表示制御手段と、を具備し、
前記表示制御手段は、前記表示装置の表示画面を、少なくとも、各種情報を表示する汎用表示領域と、該汎用表示領域に表示させる情報の一覧メニューを表示するメニュー表示領域とに分割し、かつ、前記汎用表示領域を更に細かく分割して、該分割された表示領域のいずれかに、前記メニュー表示領域に表示された一覧メニューの中から前記携帯電話機によって指定された情報を表示させる、
ことを特徴とする電話機連携表示システム。
【請求項２】
携帯電話機とサーバとがネットワークを介して接続されたシステムにおいて、
前記サーバは、
前記ネットワークを介して前記携帯電話機が送信した信号を受信し、該受信した信号による指示内容を判定する指示内容判定手段と、
前記指示内容判定手段の判定結果に応じて、直接、或いは他のネットワークを介して接続された表示装置に画像を表示させる表示制御手段と、を具備し、
前記表示制御手段は、前記表示装置の表示画面を、少なくとも、各種情報を表示する汎用表示領域と、該汎用表示領域に表示させる情報の一覧メニューを表示するメニュー表示領域とに分割し、かつ、前記汎用表示領域を更に細かく分割して、該分割された表示領域のいずれかに、前記メニュー表示領域に表示された一覧メニューの中から前記携帯電話機によって指定された情報を表示させる、
ことを特徴とする電話機連携表示システム。
【請求項３】
前記表示制御手段は、前記表示装置に、前記携帯電話機から信号として送信された記号、或いは画像を表示させる、
ことを特徴とする請求項１、または２記載の電話機連携表示システム。
【請求項４】
前記他のネットワークはインターネットである、
ことを特徴とする請求項２、または３記載の電話機連携表示システム。
【請求項５】
携帯電話機とネットワークを介して接続されるサーバとして用いられるデータ処理装置であって、
前記ネットワークを介して前記携帯電話機が送信した信号を受信し、該受信した信号による指示内容を判定する指示内容判定手段と、
前記指示内容判定手段の判定結果に応じて、直接、或いは他のネットワークを介して接続された表示装置に画像を表示させる表示制御手段と、を具備し、
前記表示制御手段は、前記表示装置の表示画面を、少なくとも、各種情報を表示する汎用表示領域と、該汎用表示領域に表示させる情報の一覧メニューを表示するメニュー表示領域とに分割し、かつ、前記汎用表示領域を更に細かく分割して、該分割された表示領域のいずれかに、前記メニュー表示領域に表示された一覧メニューの中から前記携帯電話機によって指定された情報を表示させる、
ことを特徴とするデータ処理装置。
【請求項６】
携帯電話機とネットワークを介して接続されるサーバとして用いられるデータ処理装置が読み取り可能な記録媒体であって、
前記ネットワークを介して前記携帯電話機が送信した信号を受信し、該受信した信号による指示内容を判定する指示内容判定手段と、
前記指示内容判定手段による判定結果に応じて、直接、或いは他のネットワークを介して接続された表示装置に画像を表示させる表示制御手段と、
前記表示制御手段が、前記表示装置の表示画面を、少なくとも、各種情報を表示する汎用表示領域と、該汎用表示領域に表示させる情報の一覧メニューを表示するメニュー表示領域とに分割し、かつ、前記汎用表示領域を更に細かく分割して、該分割された表示領域のいずれかに、前記メニュー表示領域に表示された一覧メニューの中から前記携帯電話機によって指定された情報を表示させることと、
を前記データ処理装置に実現させるプログラムを記録した記録媒体。
【発明の詳細な説明】
【０００１】
【発明の属する技術分野】
本発明は、電話機（特に携帯電話機）のユーザにとっての利便性を向上させるための技術に関する。
【０００２】
【従来の技術および発明が解決しようとする課題】
近年、携帯電話機は急速に普及し、多くの人が所持するようになっている。最近では、半導体技術の進歩により、様々な機能を搭載することが可能になったこともあって、携帯電話機は単に人とコミュニケーションを取るだけの道具としてだけでなく、情報端末装置として活用することにも重点が置かれるようになってきている。携帯電話機を公衆網と接続するサービスを行う通信会社は、ユーザに提供するコンテンツの量や質によって他社との差別化を図る傾向にある。企業の多くは、通信機能の他に優れた携帯性を有していることから、今後、携帯電話機は電子商取引に広く利用されることになると予測している。
【０００３】
携帯電話機に様々な機能が搭載されることに伴い、それの利便性も向上してきている。例えば情報については、携帯電話機からでも様々な情報にアクセスすることができるようになっている。しかし、その携帯電話機には、携帯性の低下を招くために、大型の表示画面を設けることが非常に困難となっている。このため、その画面に表示させる内容によっては、細かい部分が見難かったり、或いは全体の一部しか表示できずに判りにくくなる、といったように、視認性が著しく低下することがある。このようなことから、今後は、単に利便性を向上させるだけでなく、視認性についても考慮することが重要であると考えられる。
【０００４】
本発明は、ユーザが所望する情報を見やすい形で表示させることができる携帯電話機連携表示システムを提供することを目的とする。
【０００５】
【課題を解決するための手段】
本発明の第１の態様の電話機連携表示システムは、携帯電話機からネットワークを介して送信された信号に応じて、設置されている表示装置に画像を表示するためのシステムであって、前記携帯電話機が送信した信号を、前記ネットワークを介して受信する受信手段と、前記受信手段が受信した信号による指示に従って、前記表示装置に表示すべき画像を表示させる表示制御手段と、を具備し、前記表示制御手段は、前記表示装置の表示画面を、少なくとも、各種情報を表示する汎用表示領域と、該汎用表示領域に表示させる情報の一覧メニューを表示するメニュー表示領域とに分割し、かつ、前記汎用表示領域を更に細かく分割して、該分割された表示領域のいずれかに、前記メニュー表示領域に表示された一覧メニューの中から前記携帯電話機によって指定された情報を表示させる。
【０００６】
本発明の第２の態様の電話機連携表示システムは、携帯電話機とサーバとがネットワークを介して接続されていることを前提とし、前記サーバは、前記ネットワークを介して前記携帯電話機が送信した信号を受信し、該受信した信号による指示内容を判定する指示内容判定手段と、前記指示内容判定手段の判定結果に応じて、直接、或いは他のネットワークを介して接続された表示装置に画像を表示させる表示制御手段と、を具備し、前記表示制御手段は、前記表示装置の表示画面を、少なくとも、各種情報を表示する汎用表示領域と、該汎用表示領域に表示させる情報の一覧メニューを表示するメニュー表示領域とに分割し、かつ、前記汎用表示領域を更に細かく分割して、該分割された表示領域のいずれかに、前記メニュー表示領域に表示された一覧メニューの中から前記携帯電話機によって指定された情報を表示させる。
【０００７】
なお、上記第１および第２の態様の構成において、表示制御手段は、表示装置に、携帯電話機から信号として送信された記号、或いは画像を表示させる、ことが望ましい。また、他のネットワークはインターネットである、ことが望ましい。
【０００８】
本発明のデータ処理装置は、携帯電話機とネットワークを介して接続されるサーバとして用いられることを前提とし、前記ネットワークを介して前記携帯電話機が送信した信号を受信し、該受信した信号による指示内容を判定する指示内容判定手段と、前記指示内容判定手段の判定結果に応じて、直接、或いは他のネットワークを介して接続された表示装置に画像を表示させる表示制御手段と、を具備し、前記表示制御手段は、前記表示装置の表示画面を、少なくとも、各種情報を表示する汎用表示領域と、該汎用表示領域に表示させる情報の一覧メニューを表示するメニュー表示領域とに分割し、かつ、前記汎用表示領域を更に細かく分割して、該分割された表示領域のいずれかに、前記メニュー表示領域に表示された一覧メニューの中から前記携帯電話機によって指定された情報を表示させる。
【０００９】
本発明の記録媒体は、携帯電話機とネットワークを介して接続されるサーバとして用いられるデータ処理装置が読み取り可能な記録媒体であって、前記ネットワークを介して前記携帯電話機が送信した信号を受信し、該受信した信号による指示内容を判定する指示内容判定手段と、前記指示内容判定手段による判定結果に応じて、直接、或いは他のネットワークを介して接続された表示装置に画像を表示させる表示制御手段と、前記表示制御手段が、前記表示装置の表示画面を、少なくとも、各種情報を表示する汎用表示領域と、該汎用表示領域に表示させる情報の一覧メニューを表示するメニュー表示領域とに分割し、かつ、前記汎用表示領域を更に細かく分割して、該分割された表示領域のいずれかに、前記メニュー表示領域に表示された一覧メニューの中から前記携帯電話機によって指定された情報を表示させることと、を前記データ処理装置に実現させるプログラムを記録している。
【００１０】
本発明では、携帯電話機とネットワークを介して接続されるサーバを用意し、そのサーバに、携帯電話機から信号の形で送信される要求に応じて、設置されている表示装置の表示内容を直接、或いは間接的に変更させる。それにより、携帯電話機のユーザは、表示装置を随時、利用することが可能になり、所望する情報を見やすい形で見られるようになって情報の視認性も向上することになる。
【００１１】
【発明の実施の形態】
以下、図面を参照しながら、本発明の実施の形態につき詳細に説明する。
図１は、本実施の形態による携帯電話機連携表示システムの構成を示す図である。
【００１２】
図１に示すように、そのシステムでは、携帯電話機１は基地局２、及び公衆網３を介してサーバ４と接続され、そのサーバ４は、更に、インターネット５を介して複数の表示盤６、及び広告会社（正確にはそれが設置したサーバ）７と接続されている。本実施の形態による携帯電話機連携表示システムは、携帯電話機１のユーザが所望する情報を、複数の表示盤６のなかでそのユーザが指定した表示盤６に表示させるシステムとして実現されている。
【００１３】
上記サーバ４は、例えば、携帯電話機１を公衆網３と接続するサービスを提供する通信会社が、それのユーザがインターネット５を利用できるようにするために設置したものである。複数の表示盤６は、それぞれ、例えばサーバ４を設置したその通信会社が企業と契約を結んで、例えばビルディングの壁に設置した大型の表示装置である。各表示盤６は、インターネット５と接続された端末装置によって制御されるものであっても良いが、ここでは、便宜的に、インターネット５を介してデータの送受信を行うネットワーク機能を搭載した一つのＵＲＬ（Uniform Resource Locator）を有する端末装置であるとの前提で説明を行うこととする。
【００１４】
以上の構成において、システムを構成する各構成要素の動作を説明する。
上記広告会社７は、表示盤６に広告を掲載させる換わりに広告料を支払う契約を通信会社と結んだ会社である。表示盤６に広告表示用のデータ（画像（静止画、或いは動画）、或いは／及び、テキストなどのデータ）を随時、サーバ４に送信する。サーバ４は、広告会社７から受信したデータを格納し、例えば、その格納先を示すＵＲＬを挿入したＨＴＭＬデータを各表示盤６に送信することにより、各表示盤６の画面上に広告を表示させる。
【００１５】
図２は、上記表示盤６の画面の使用例を説明する図である。
本実施の形態では、図２に示すように、表示盤６の画面全体をメニュー表示領域２１、広告表示領域２２、及び汎用表示領域２３の３つの表示領域（フレーム）に分割し、各表示領域別に画像を表示させるようにしている。汎用表示領域２３は、様々な情報の表示に用いられる領域であり、メニュー表示領域２１は、その汎用表示領域２３に表示させることができる情報の種類（項目）の一覧（メニュー）を表示するために設けた領域である。広告表示領域２２は、広告会社７から送信されたデータを広告として表示するために設けた領域である。各表示領域に分割しての内容（画像）の表示は、表示盤６に搭載されたＣＰＵが、サーバ４から受信したＨＴＭＬデータを解釈し、そのデータ中にＵＲＬの形で指定されているファイルのデータをサーバ４から受信し、そのファイルのデータをＨＴＭＬデータで指定された形式に従って画面上に表示させることで実現される。
【００１６】
サーバ４は、汎用表示領域２３に表示させるデータのＵＲＬを、基地局２、及び公衆網３を介して接続されている携帯電話機１からの要求に応じて随時、変更し、その変更を反映させた後のＨＴＭＬデータを表示盤６に送信する。それにより、その携帯電話機１のユーザが所望の情報を表示盤６に表示させるサービス（以降、表示盤サービスと呼ぶ）を提供する。
【００１７】
そのサービスを提供することにより、携帯電話機１のユーザは、表示盤６をその電話機１の画面の代わりとして利用することができる。これは、表示盤６を利用することで、携帯電話機１の画面の大きさによる制約が解消されることを意味する。このため、携帯電話機１と比較して、大量のデータを一度に表示させることができる。例えば、携帯電話機１では一部しか表示できない地図でもその全体を表示させることができる。このようなことから、高い視認性が得られることになる。
【００１８】
携帯電話機１には、その大きさや重量、或いは消費電力を抑えるといったことのために、比較的に高速な処理を行えるＤＳＰや大容量のメモリは搭載されていないのが実状である。このため、大量のデータの他に、扱えない種類のデータ（圧縮されたデータなど）がある。しかし、表示盤６には、携帯電話機１におけるそのような制約はなく、様々なデータを表示させることができる。これは、表示盤６を利用することで、携帯電話機１と比較して、より様々なデータを表示させられるようになることを意味する。このことから、携帯電話機１の性能から提供できなかった情報も提供することができるようになる。通信会社側にとっては、必ずしも携帯電話機１の性能を考慮してコンテンツを決定しなくても済むようになるため、より豊富なコンテンツをユーザに提供できるようになる。それによって利便性も更に向上させることができる。
【００１９】
携帯電話機１のユーザは、表示盤６を利用するサービスを以下のようにして受けるようになっている。
サーバ４との接続は、ユーザが携帯電話機１に設けられた所定のキーを操作することで行うようになっている。そのキーをユーザが操作すると、携帯電話機１はサーバ４宛に発呼要求を送信することで、サーバ４との接続を行う。
【００２０】
サーバ４は、新たに接続された携帯電話機１に、それが提供するサービスの一覧（トップメニュー）を表示させるためのデータを送信する。それ以降は、携帯電話機１からの要求を受信する度に、その要求に応じた処理を行い、送信すべきデータを携帯電話機１に送信する。それにより、表示盤サービスを含む各種のサービスをユーザに提供する。
【００２１】
上記トップメニューを含む各種メニューのなかの各項目には番号が付してある。ユーザは携帯電話機１に設けられた０〜９キーのなかで所望の項目に付された番号と一致するキーを操作することで項目の選択を行うようになっている。サーバ４から送信されるメニュー毎に、そのなかの項目を選択していくことで、所望のサービスの提供を受けるようになっている。
【００２２】
サーバ４が携帯電話機１に送信するトップメニューのなかには、表示盤サービスを指定する項目があり、その項目を選択すると、サーバ４は表示盤６の設置地域一覧をメニューとして携帯電話機１に送信する。そのメニュー中の設置地域を選択すると、サーバ４はその地域における表示盤６の設置場所一覧をメニューとして携帯電話機１に送信する。そのメニューは、例えば図３に示すように、「１新宿東口」「２新宿西口」「３渋谷」「４池袋」・・・などの形で表示盤６の各設置場所を項目として配置したものである。そのメニューが表示されている状態でユーザが１キーを操作すると、そのキーの番号がサーバ４に送信され、その番号と一致する番号の新宿東口が選択される。その番号が送信されたサーバ４は、新宿東口に設置された表示盤６で表示可能な情報の項目の一覧をメニューとして携帯電話機１に送信する。それにより、その携帯電話機１には、図３に示すように、「１地図」「２天気」「３店」「４ニュース」・・・などが項目として配置されたメニューが表示されることになる。なお、本実施の形態では、携帯電話機１に表示させるメニューを表示盤６のメニュー表示領域２１（図２参照）にも表示させることで、ユーザが表示盤６を見ながらでも携帯電話機１の操作を行えるようにしている。
【００２３】
図２に示すメニュー表示領域２１には、「１地図情報」「２天気予報」「３店の情報」「４ニュース」「５伝言板」及び「６広告」が項目として配置されている。特に詳細な説明は省略するが、それらの項目のなかで、「３店の情報」或いは「４ニュース」を選択すると、次のメニューが表示され、そのメニューのなかの項目を更に選択するようになっている。
【００２４】
図２に示すメニュー表示領域２１に配置された「５伝言板」は、携帯電話機１から入力したデータを汎用表示領域２３に表示させるサービスを選択するための項目である。その項目を選択したユーザは、携帯電話機１を操作して表示を所望するデータを入力してサーバ４に送信する。そのデータを受信したサーバ４は、そのデータを挿入したＨＴＭＬデータを作成し、それをユーザが既に選択した設置場所に設置されている表示盤６に送信する。それにより、その表示盤６の汎用表示領域２３に、ユーザが携帯電話機１で入力したデータを表示させる。
【００２５】
携帯電話機１で入力したデータを表示盤６に表示させることで、ユーザは、多くの人に伝えたいことを伝えることができるようになる。このため、自己アピールの手段として表示盤サービスを利用することもできる。
【００２６】
図２に示すメニュー表示領域２１に配置された「６広告」を選択すると、広告表示領域２２に表示されている広告の詳細、或いはその広告を出している企業からのお知らせなどが汎用表示領域２３に表示される。
【００２７】
次に、上記表示盤サービスを実現させるための携帯電話機１、及びサーバ４の各動作について、図４、及び図５に示すフローチャートを参照して詳細に説明する。
【００２８】
図４は、サーバ４にアクセスする場合に携帯電話機１が実行する処理の流れを示すフローチャートである。ユーザが携帯電話機１に設けられた所定のキーを操作してサーバ４との接続を指示した後に実行される処理の流れを示したものである。始めに、図４を参照して、携帯電話機１の動作について詳細に説明する。なお、図４に示すフローチャートは、携帯電話機１に搭載されたＤＳＰが、ＲＯＭに格納されたプログラムを実行することで実現される。
【００２９】
先ず、ステップＳ４１では、ユーザの指示に従い、サーバ４宛に発呼要求を送信することでサーバ４との接続を行う。続くステップＳ４２では、サーバ４から送信されるトップメニューを受信してその表示を行う。その後は、ステップＳ４３に移行して、トップメニュー中の項目をユーザが選択するのを待つ。
【００３０】
トップメニュー中の項目をユーザが選択すると、即ち何らかの項目に付した番号と一致するキーをユーザが操作すると、ステップＳ４３からステップＳ４４に移行する。そのステップＳ４４では、ユーザが操作したキーの番号をサーバ４に送信し、それによってサーバ４が送信してくるメニューを受信するのを待って画面に表示させる。その後は、ステップＳ４５に移行して、何らかの選択をユーザが行うのを待つ。トップメニュー中で表示盤サービスの提供を指定する項目をユーザが選択した場合、ステップＳ４４の処理を実行することで、図３に示すような表示盤６の設置場所の一覧がメニューとして表示されることになる。
【００３１】
メニュー中の項目の選択を含む指示をユーザが行うと、ステップＳ４５からステップＳ４６に移行する。そのステップＳ４６では、ユーザの指示内容を判定する。ユーザがトップメニューに戻るのを指示した場合、その旨が判定されてステップＳ４２に戻る。その前の段階に戻るのをユーザが指示した場合には、その旨が判定されてステップＳ４４に戻り、その前の段階に対応するメニュー（トップメニューが対応することもある）をサーバ４から受信して表示する。表示されているメニュー中の項目をユーザが選択した場合には、その旨が判定されてステップＳ４７に移行する。
【００３２】
ステップＳ４７では、ユーザが選択した項目は伝言板か否か判定する。ユーザがその伝言板に付された番号と一致する番号のキーを操作した場合、判定はＹＥＳとなってステップＳ４９に移行する。そうでない場合には、判定はＮＯとなり、ステップＳ４８でユーザが選択した項目をサーバ４に通知することを含むその項目に応じた処理を実行した後、ステップＳ４４に移行し、サーバ４から送信されてくるデータを受信して画面に表示する。
【００３３】
上記ステップＳ４４〜Ｓ４８を実行することにより、メニュー毎にそのなかの項目を選択していくことで提供されるサーバ４のサービスをユーザは受けることができる。
【００３４】
ステップＳ４７のＹＥＳの判定は、ユーザが表示盤６を選択した後にサーバ４から送信されるメニュー中の伝言板を選択したことを意味する。このことから、その判定がＹＥＳとなって移行するステップＳ４９では、ユーザの操作に応じてデータを入力する入力処理を実行する。続くステップＳ５０では、その入力の終了をユーザが指示したか否か判定する。その終了指示をユーザが行っていない場合、判定はＮＯとなり、ステップＳ４９に戻って入力処理を続行する。そうでない場合には、即ちユーザが終了指示を行った場合には、判定はＹＥＳとなり、ユーザが入力したデータをサーバ４に送信してその表示を依頼した後、ステップＳ４４に戻り、その前の段階のメニューの表示を行う。
【００３５】
ステップＳ４２〜Ｓ５１の処理は、ユーザがサーバ４との接続の切断を指示するまでの間、ユーザの操作に応じて繰り返し実行される。それにより、ユーザは、サーバ４が提供する様々なサービスを受けることになる。
【００３６】
図５は、携帯電話機１からアクセスされた場合にサーバ４が実行する処理の流れを示すフローチャートである。１個の携帯電話機１に対するサービスの提供に注目して、サーバ４が実行する処理の流れを表したものである。次に、図５を参照して、サーバ４の動作について詳細に説明する。なお、図５に示すフローチャートは、例えばサーバ４に搭載されたＣＰＵが、そのハードディスク装置内のハードディスクに格納されたプログラムを実行することで実現される。
【００３７】
先ず、ステップＳ６１では、携帯電話機１が発呼要求を送信することでそれと接続されるのを待つ。その携帯電話機１との回線が確保されて接続されると、ステップＳ６１からステップＳ６２に移行し、その携帯電話機１にトップメニューを送信する。その送信後は、ステップＳ６３に移行して、携帯電話機１からデータ（主に番号）を受信するのを待つ。
【００３８】
ユーザが携帯電話機１の０〜９キーの何れかを操作してメニュー中の項目を選択すると、その携帯電話機１はユーザが操作したキーの番号をサーバ４に送信する。その番号をサーバ４が受信することにより、上記ステップＳ６３からステップＳ６４に移行する。
【００３９】
そのステップＳ６４では、携帯電話機１から受信した番号に応じたメニューをその携帯電話機１に送信する。そのメニューを送信した後は、ステップＳ６５に移行して、再び、携帯電話機１からデータ（主に番号）を受信するのを待つ。
【００４０】
そのデータ（番号）を受信すると、ステップＳ６５からステップＳ６６に移行して、受信した番号に応じて画面（メニューの場合もある）を携帯電話機１に送信する。続くステップＳ６７では、携帯電話機１からデータを受信するのを待ち、そのデータを受信してからステップＳ６８に移行する。
【００４１】
ステップＳ６８では、受信したデータによる要求内容を判定する。携帯電話機１のユーザが前の段階に戻るのを指示した場合、その旨が判定されてステップＳ６６に戻り、直前に送信した画面を再度、携帯電話機１に送信する。トップメニューに戻るのを指示した場合には、その旨が判定されてステップＳ６２に戻り、トップメニューを携帯電話機１に送信する。メニュー中の項目を選択するといったことを行った場合には、その旨が判定されてステップＳ６９に移行する。
【００４２】
ステップＳ６９では、ユーザの要求が表示盤６の指定か否か判定する。そのユーザが設置場所を選択して表示盤６を指定した場合、判定はＹＥＳとなり、ステップＳ７０でその表示盤６を表示内容の変更対象として選択（設定）した後、ステップＳ６６に移行して、次に送信すべき画面（ここでは図３、或いは図２に示すようなメニューである）を携帯電話機１に送信する。そうでない場合には、判定はＮＯとなってステップＳ７１に移行する。なお、表示内容の変更対象とする表示盤６の設定は、それのＵＲＬを携帯電話機１と対応させて保持することで行われる。
【００４３】
ステップＳ７１では、要求が表示内容の指定か否か判定する。図３、或いは図２に示すようなメニュー中の項目をユーザが選択した場合、判定はＹＥＳとなってステップＳ７３に移行する。そうでない場合には、判定はＮＯとなり、ステップＳ７２で他の要求に応じた処理を実行した後、ステップＳ６６に戻り、送信すべき画像を携帯電話機１に送信する。
【００４４】
ステップＳ７３では、メニュー中の伝言板の選択に伴う要求か否か判定する。ユーザがメニュー中の伝言板を選択した後、データ入力の終了を指示した場合、判定はＹＥＳとなってステップＳ７４に移行し、ステップＳ７０で選択した表示盤６に、携帯電話機１から受信したデータを挿入したＨＴＭＬデータを送信する。その後は、ステップＳ６６に移行して、送信すべき画像を携帯電話機１に送信する。反対に、そうでない場合には、即ち例えばユーザが図３、或いは図２に示すようなメニュー中で伝言板以外の項目を選択した場合には、判定はＮＯとなってステップＳ７５に移行し、ステップＳ７０で選択した表示盤６に、ユーザが選択した項目に対応するＵＲＬを挿入したＨＴＭＬデータを送信する。その後は、ステップＳ６６に移行して、送信すべき画像を携帯電話機１に送信する。
【００４５】
上記ステップＳ６２〜Ｓ７５の処理は、ユーザがサーバ４との接続の切断を指示するまでの間、ユーザの携帯電話機１への操作に応じて繰り返し実行される。それにより、ユーザはサーバ４が提供する様々なサービスを受けることができ、所望の表示盤６に所望の情報を表示させることができる。
【００４６】
なお、本実施の形態では、サーバ４と表示盤６とをインターネット５で接続させているが、これは広い範囲に設置されている表示盤６をサーバ４で一元的に管理するためである。設置する表示盤６の数が少なかったり、或いはそれを設置する範囲が狭いのであれば、ＬＡＮやＷＡＮ、或いは公衆網３でサーバ４と表示盤６とを接続させても良い。
【００４７】
表示内容の変更は、サーバ４が表示盤６にＨＴＭＬデータを送信することで行うようになっているが、それ以外の方法で行うようにしても良い。具体的には、ＣＧＩ（Common Gateway Interface）などを用いても良い。
【００４８】
各表示盤６は、通信会社が設置、或いはそれが企業から借りたものであるが、企業が通信会社とは別に表示盤６を設置して、上述したようなサービスを携帯電話機１のユーザに提供するようにしても良い。そのサービスの提供は、例えば表示盤６を設置した企業が専用の回線を用意し、その回線と接続した携帯電話機１で操作したキーの番号に応じて表示盤６の表示内容を切り換えることで行うことができる。そのサービスの提供の案内は、表示盤６にそれを表示させるだけでなく、音声で伝えることもできる。このことから、そのようにした場合には、電話線で接続された普通の電話機からでもサービスを受けることができる。表示盤６の利用については、より多くの携帯電話機１のユーザが利用できるように、利用するユーザの数に応じて汎用表示領域２３を分割するようにしても良い。
【００４９】
インターネット５上のサイトは、パーソナルコンピュータなどによって容易にアクセスすることができる。このことから、サーバ４が携帯電話機１への操作に応じて内容を書き換えるサイトを開設することで、そのサイトにアクセスしたパーソナルコンピュータなどの画面の表示内容を携帯電話機１への操作に応じて変更できるようにしても良い。
【００５０】
上述したサーバ４によって提供されるサービスを実現させるようなプログラムは、ＣＤ−ＲＯＭ、フロッピーディスク、或いは光磁気ディスク等の記録媒体に記録させて配布しても良い。或いは、公衆網等の通信回線を用いて、そのプログラムの一部、若しくは全部を配信するようにしても良い。そのようにした場合には、ユーザはプログラムを取得してサーバ用のコンピュータにロードすることにより、そのコンピュータが接続されたシステムに本発明を適用させることができる。このことから、記録媒体は、プログラムを配信する装置がアクセスできるものであっても良い。
【００５１】
【発明の効果】
以上説明したように本発明は、電話機とネットワークを介して接続されるサーバを用意し、そのサーバに、電話機から信号の形で送信される要求に応じて、設置されている表示装置の表示内容を直接、或いは間接的に変更させる。このため、電話機のユーザは、表示装置を随時、利用することができ、その画面上に所望する情報を表示させることができる。所望する情報を見やすい形で見ることができるようになる結果、情報の視認性も向上することになる。
【図面の簡単な説明】
【図１】本実施の形態による携帯電話機連携表示システムの構成を示す図である。
【図２】表示盤の画面の使用例を説明する図である。
【図３】携帯電話機の画面推移例を説明する図である。
【図４】サーバにアクセスする場合に携帯電話機が実行する処理の流れを示すフローチャートである。
【図５】携帯電話機からアクセスされた場合にサーバが実行する処理の流れを示すフローチャートである。
【符号の説明】
１    携帯電話機
２    基地局
３    公衆網
４    サーバ
５    インターネット
６    表示盤
７    広告会社
【図１】
0003712591.tif 000002
【図２】
0003712591.tif 000003
【図３】
0003712591.tif 000004
【図４】
0003712591.tif 000005
【図５】
0003712591.tif 000006